(57)【特許請求の範囲】
【請求項１】
反射式ＬＥＤ照明ランプ構造であって、ランプケーシングと光源型条とを備え、
前記光源型条はコネクタに取り付けられ、前記ランプケーシングには、光反射層が取り付けられており、前記光源型条は、前記コネクタに一体化され且つ前記コネクタに対して独立して脱着でき、
前記コネクタに前記光源型条が一体化された一体化構造は、ＬＥＤ光源とＬＥＤ光源取り付け用ベース・バッドとを有し、
前記光源型条は、ＬＥＤ光源を固着する配線板をさらに備え、前記配線板は、前記ＬＥＤ光源が取り付けられたベース・バッドに貼り付けられており、
前記ランプケーシングは、アーチ部が閉じられたアーチ型構造であって、前記アーチ部の内壁には前記光反射層が設けられ、該光反射層は、反射膜であるか又は反射塗料が塗布されており、
前記ランプケーシングは、２つ以上の前記アーチ型構造が並んで配置されており、
前記２つ以上のアーチ型構造は、それぞれの間が、長手方向に延びる第１挿入溝及び第２挿入溝が設けられた前記コネクタによって接続され、前記ランプケーシングは前記第１挿入溝に挿入され、前記ＬＥＤ光源取り付け用ベース・バッドは前記第２挿入溝に挿入されていることを特徴とする反射式ＬＥＤ照明ランプ構造。
【請求項２】
請求項１において、前記ランプケーシングは、その両端部がキャップによって固定されていることを特徴とする反射式ＬＥＤ照明ランプ構造。
【請求項３】
請求項１において、前記ランプケーシングとＬＥＤ光源取り付け用ベース・バッドとは、アルミ形材又は熱伝導プラスチックであることを特徴とする反射式ＬＥＤ照明ランプ構造。
【請求項４】
ＬＥＤ照明装置であって、該照明装置は、請求項１から３のいずれか１項における前記反射式ＬＥＤ照明ランプ構造が直列してなることを特徴とするＬＥＤ照明装置。
【請求項５】
請求項４において、該直列してなる照明装置が細長状、四角形、アーチ型、円形、又はＳ型であることを特徴とするＬＥＤ照明装置。
【発明の詳細な説明】
【技術分野】
【０００１】
本発明は、ＬＥＤ照明分野に関し、特に、反射式ＬＥＤ照明ランプの構造及びＬＥＤ照明装置に関する。
【背景技術】
【０００２】
照明光源として、ＬＥＤは、省エネルギーで、かつ環境に優しく、効率が高いという利点がある。しかしながら、ＬＥＤ自体はサイズが小さくかつ明るさが高い。その集光特性は、直射されると、大きなグレア問題を発生する。また、光が柔和ではなく、人間の目には不快感を抱かせる。しかしながら、ＬＥＤポイント光源をＬＥＤ面光源に変えれば、効率的にグレア問題を解決できる。
【０００３】
そこで、反射式ＬＥＤ照明ランプが誕生した。現在、反射式ＬＥＤ照明ランプが市販されている。反射式ＬＥＤ照明ランプは、ランプケーシングに反射膜を貼り、光を反射させる反射式が採用されている。該ランプ構造は、ＬＥＤ光源を幾つかの螺子（ねじ）でランプケーシングに固定する方法が用いられている。
【発明の概要】
【発明が解決しようとする課題】
【０００４】
しかしながら、この構造は、取り付けが複雑であり、特に大型ランプの場合は、時間も人手も必要となる。また、螺子を締める際には、取り付け位置がずれ易い。さらには、螺子を締める際に、光源が損壊される場合もある。また、ランプをメンテナンスする際には、ＬＥＤ光源の取り外しが不便である。しかも、ランプの防護レベルが高い場合には、ランプケーシングに特殊な構造が用いられている。例えば、ランプケーシングが閉鎖構造を採る場合には、ランプケーシングの内部において最初の状態と違う位置に螺子を取り付けることは不可能である。
【０００５】
本発明は、前記の技術問題を解決するため、反射式ＬＥＤ照明ランプ構造を提供する。本発明に係る反射式ＬＥＤ照明ランプ構造は、一体化式光源構造が採用され、ＬＥＤ光源型条がランプケーシングとの間で容易に挿抜が可能で、取り付け及び取り外しも容易である。すなわち、本構造は、操作が簡単で、適用性が高い。
【０００６】
本発明は、さらに一種のＬＥＤ照明装置を提供した。本ＬＥＤ照明装置は、複数の反射式ＬＥＤ照明ランプ構造で直列してなるものを利用した。このため、造型が多種類となり、照明のみならず、意匠等の多種類の使用要求を満足させることができる。
【課題を解決するための手段】
【０００７】
前記の目的を達成するため、本発明は、下記の技術案を利用した。
【０００８】
第１の発明は、ランプケーシングと光源型条とを備えた反射式ＬＥＤ照明灯の構造であって、光源型条はコネクタに取り付けられ、ランプケーシングには、光反射層が取り付けられており、光源型条は、コネクタに一体化され且つコネクタに対して独立して脱着できる構造である。コネクタに光源型条が一体化された一体化構造は、ＬＥＤ光源とＬＥＤ光源取り付け用ベース・バッドとを有し、光源型条は、ＬＥＤ光源を固着する配線板をさらに備え、配線板は、ＬＥＤ光源が取り付けられたベース・バッドに貼り付けられており、ランプケーシングは、アーチ部が閉じられたアーチ型構造であって、アーチ部の内壁には光反射層が設けられ、該光反射層は、反射膜であるか又は反射塗料が塗布されており、ランプケーシングは、２つ以上のアーチ型構造が並んで配置されており、２つ以上のアーチ型構造は、それぞれの間が、長手方向に延びる第１挿入溝及び第２挿入溝が設けられたコネクタによって接続され、ランプケーシングは第１挿入溝に挿入され、ＬＥＤ光源取り付け用ベース・バッドは第２挿入溝に挿入されていることを特徴とする反射式ＬＥＤ照明ランプ構造である。
【０００９】
第２の発明は、第１の発明において、ランプケーシングは、その両端部がキャップによって固定されていることを特徴とする反射式ＬＥＤ照明ランプ構造である。
【００１０】
第３の発明は、第１の発明において、ランプケーシングとＬＥＤ光源取り付け用ベース・バッドとは、アルミ形材又は熱伝導プラスチックであることを特徴とする反射式ＬＥＤ照明ランプ構造である。
【００１１】
第４の発明は、第１〜第３の発明のいずれかにおける反射式ＬＥＤ照明ランプ構造が直列してなることを特徴とするＬＥＤ照明装置である。
【００１２】
第５の発明は、第４の発明において、該直列してなる照明装置が細長状、四角形、アーチ型、円形、又はＳ型であることを特徴とするＬＥＤ照明装置である。
【発明の効果】
【００１３】
本発明の技術案は、以下の効果がある。
【００１４】
本発明に係る反射式ＬＥＤ照明ランプ構造は、独立して取り付け及び取り外しが可能な２つの部分に分けられている。この２つの独立した部分は、それぞれ、ランプケーシングと光源型条とである。そのうち、光源型条は、ＬＥＤ光源とＬＥＤ光源取り付け用ベース・バッドとを一体化構造として作られている。該２つの部分は、直接的な構造か又は連結部品を組み合わせた構造とし、かつ挿入溝に挿入して連結固定した。これにより、一体化構造の光源型条は、２つの部分の挿抜によって、取り付けと取り外しとを容易に実現することができる。このため、操作は非常に簡単で便利であり、効率的に商品の生産効率を上げることができる。ランプを取り外してメンテナンスする際には、単独でＬＥＤ光源を取り外す必要がなく、取り外しによるＬＥＤ光源の損壊を避けられる。さらに、ランプケーシングが、高い保護レベルの閉鎖構造を採る場合でも、簡単な挿抜式であることにより、ランプの各部分の取り付けと取り外しとを容易に行うことができる。
【００１５】
さらに、同じ発光光率の場合は、片側に挿入用溝を設ける、即ち、片側にのみＬＥＤ光源を配置する構成とすることにより、両側にＬＥＤ光源を配置する構成と比べて、同じ個数のＬＥＤ光源を取り付ければ、配置のピッチをさらに小さくすることができる。これにより、光源の配置ピッチが比較的に大きい構成の場合の、光が十分に照射されない領域が生じ難くなり、照射できる領域内で光がより均一で柔らかくなる。
【図面の簡単な説明】
【００１６】
【図１】図１は本発明の実施例１に係るＬＥＤ照明ランプの構造を示す斜視図である。
【図２】図２は図１の構造の分解斜視図である。
【図３】図３は図１の断面図である。
【図４】図４は本発明の実施例２に係るＬＥＤ照明ランプの構造を示す斜視図である。
【図５】図５は図４の２つのアーチ部分を示す断面図である。
【図６】図６は本発明に係るＬＥＤ照明装置の構造を示す斜視図である。
【発明を実施するための形態】
【００１７】
図１〜図３に示された、本発明に係る反射式ＬＥＤ照明ランプ構造は、ランプケーシング(1)と光源型条(2)とを備えている。ランプケーシング(1)は、アーチ型で細長いアルミ形材であり、アーチ部が閉鎖型構造である。ランプケーシング(1)の長手方向には、その底部側に近い位置で挿入用溝(10)が形成されている。光源型条(2)は、ＬＥＤ照明ランプ中で取り付け及び取り外しが可能な一体化構造である。該一体化構造は、ＬＥＤ光源(20)と、ＬＥＤ光源(20)を溶接する配線板(21)とを備えている。配線板(21)は、ＬＥＤ光源取り付け用ベース・バッド(22)に貼り付けられている。また、ＬＥＤ光源取り付け用ベース・バッド(22)は、ランプケーシング(1)の挿入用溝(10)に挿入されている。ランプをより十分に放熱させるため、ＬＥＤ光源取り付け用ベース・バッド(22)とランプケーシング(1)との間に、ある程度接する面積が必要となる。これにより、光源型条(2)が発生した熱は、ランプケーシング(1)と接する部分から放出される。また、ランプケーシング(1)のアーチ部内壁側には、反射膜(3)が貼られている。ＬＥＤ光源(20)の反射膜(3)との間の位置と、ランプケーシング(1)のアーチ度とは、実際に要求された照度と照明効果とによって、既存の照明ソフトを用いて計算して確定することができる。例えば、デルレス(Dialux)ソフト(ランプ照明分野に利用され、精確に計算でき、照明効果を得られる設計ソフトである。)、又は他の計算ソフトを用いることができる。光源型条(2)を挿入用溝(10)に挿入し、その後、透光カバー(4)をランプケーシング(1)に取り付けている。透光カバー(4)とランプケーシング(1)との取り付け連結部には、シリカゲル・ガスケット(5)が配置されている。透光カバー(4)の外側には圧条(6)が取り付けられており、該圧条(6)によって透光カバー(4)がランプケーシング(1)に固定されている。最終的に、ランプケーシング(1)の両端開口位置は、キャップ(7)によって固定して閉じられる。
【００１８】
図４及び図５に示した本発明の実施例２が実施例１と違う点は、該ＬＥＤ照明ランプのランプケーシング(8)が２つのアーチ型構造として並列している点である。２つのアーチ型構造は、細長いアルミ形材のコネクタ(9)によって連結されている。コネクタ(9)の長手方向には、両側のそれぞれに、ランプケーシング(8)とＬＥＤ光源取り付け用ベース・バッド(22)とが挿入される挿入用溝(90、91)が形成されている。アーチ型構造の両端は、キャップ(18)で固定されかつ閉鎖される。
【００１９】
図６に示された、本発明に係る反射式ＬＥＤ照明ランプ構造が直列してなるＬＥＤ照明装置は、例えば環状である。また、実際の需要により、隣り合うＬＥＤ照明ランプ同士の間のコネクタ形状を適当に設計すれば、直列してなりそれぞれが異なる造型を持つ大型のＬＥＤ照明装置を得ることができる。例えば、細長い形状、アーチ型又はＳ型等の大型のＬＥＤ照明装置を実現できる。
【符号の説明】
【００２０】
1       ランプケーシング
2       光源型条
3       反射膜
4       透光カバー
5       シリカゲル・ガスケット
6       圧条
7、18   キャップ
8       ランプケーシング
9       コネクタ
10      挿入用溝
20      ＬＥＤ光源
21      配線板
22      ベース・バッド
90、91  挿入用溝
【図１】
0005951435.tif 000002
【図２】
0005951435.tif 000003
【図３】
0005951435.tif 000004
【図４】
0005951435.tif 000005
【図５】
0005951435.tif 000006
【図６】
0005951435.tif 000007